(57)【要約】【課題】生体情報の入力の手間を軽減すること。【解決手段】一実施の形態では、表示処理部１０４は、バイタルデータの計測時刻および計測値をそれぞれＸ、Ｙ軸としたグラフを表示装置の画面に表示する。データ処理部１０６は、表示グラフの座標をマウスで指定する指定操作により、指定座標のＸ、Ｙ成分にそれぞれ対応する計測時刻および計測値を決定する。他の実施の形態では、操作処理部１１２は、バイタルデータの計測値のトレンドにおける計測時刻のいずれかを選択する。サーバデータ通信部１１０は、選択された計測時刻を含む期間内の複数の計測時刻における複数の計測値をサーバシステムから取得する。表示処理部１０４は、取得された複数の計測値を表示装置の画面に表示する。操作処理部１１２は、表示された複数の計測値のいずれかを選択する。データ処理部１０６は、選択された計測時刻におけるトレンド内の計測値を、選択された計測値に変更する。【選択図】図２
2008099978.tif 000002
【特許請求の範囲】
【請求項１】
生体情報の計測時刻および生体情報の計測値をそれぞれＸ軸およびＹ軸としてなるグラフを表示装置の画面に表示する表示部と、
表示グラフの座標をポインティングデバイスで指定する指定操作により、指定された座標のＸ成分およびＹ成分にそれぞれ対応する計測時刻および計測値を決定する決定部と、
を有することを特徴とする生体情報処理装置。
【請求項２】
前記指定操作の対象生体情報の切り替えにより、決定可能な計測時刻の時間間隔を切り替える制御を行う制御部をさらに有する、
ことを特徴とする請求項１記載の生体情報処理装置。
【請求項３】
前記表示部は、計測値の入力可能範囲を前記表示グラフ上に表示する、
ことを特徴とする請求項１記載の生体情報処理装置。
【請求項４】
前記表示部は、前記指定操作の現在の対象生体情報を表す情報を前記表示グラフ上に表示する、
ことを特徴とする請求項１記載の生体情報処理装置。
【請求項５】
前記表示部は、前記指定操作の対象生体情報の複数の候補を前記画面に表示し、
前記決定部は、表示された複数の候補のいずれかを前記ポインティングデバイスで選択する選択操作により、選択された候補を前記対象生体情報に決定する、
ことを特徴とする請求項１記載の生体情報処理装置。
【請求項６】
前記表示部は、前記選択操作が完了したとき、前記座標を視覚化するマークを前記表示グラフ上に表示する、
ことを特徴とする請求項５記載の生体情報処理装置。
【請求項７】
記憶装置に記憶された計測時刻および対応する計測値を取得する取得部と、
取得された計測時刻を、表示可能な計測時刻の時間間隔に適合した値に変換する変換部と、をさらに有し、
前記表示部は、取得された計測値を、前記変換された計測時刻における計測値として表示する、
ことを特徴とする請求項１記載の生体情報処理装置。
【請求項８】
生体情報の計測値のトレンドにおける計測時刻のいずれかを選択する時刻選択部と、
選択された計測時刻を含む期間内の複数の計測時刻における複数の計測値を記憶装置から取得する取得部と、
取得された複数の計測値を表示装置の画面に表示する表示部と、
表示された複数の計測値のいずれかを選択する値選択部と、
選択された計測時刻におけるトレンド内の計測値を、選択された計測値に変更する変更部と、
を有することを特徴とする生体情報処理装置。
【請求項９】
前記表示部は、前記期間より前の計測時刻における計測値を前回値として表示する、
ことを特徴とする請求項８記載の生体情報処理装置。
【請求項１０】
前記期間の中心時刻は、選択された計測時刻であり、
前記取得部は、前記期間内のすべての計測時刻における複数の計測値を前記記憶装置から取得する、
ことを特徴とする請求項９記載の生体情報処理装置。
【請求項１１】
前記取得部は、複数の修正可能生体情報の各々について前記複数の計測値を取得し、
前記表示部は、取得された複数の計測値を、前記複数の修正可能生体情報の一覧として前記画面に表示する、
ことを特徴とする請求項８記載の生体情報処理装置。
【請求項１２】
生体情報の計測時刻および生体情報の計測値をそれぞれＸ軸およびＹ軸としてなるグラフを表示装置の画面に表示するステップと、
表示グラフの座標をポインティングデバイスで指定する指定操作により、指定された座標のＸ成分およびＹ成分にそれぞれ対応する計測時刻および計測値を決定するステップと、
を有することを特徴とする生体情報処理方法。
【請求項１３】
生体情報の計測値のトレンドにおける計測時刻のいずれかを選択するステップと、
選択された計測時刻を含む期間内の複数の計測時刻における複数の計測値を記憶装置から取得するステップと、
取得された複数の計測値を表示装置の画面に表示するステップと、
表示された複数の計測値のいずれかを選択するステップと、
選択された計測時刻におけるトレンド内の計測値を、選択された計測値に変更するステップと、
を有することを特徴とする生体情報処理方法。
【発明の詳細な説明】
【技術分野】
【０００１】
本発明は、生体情報処理装置および生体情報処理方法に関する。
【背景技術】
【０００２】
バイタルデータは、一般に、医療、保健、福祉など、様々な目的で計測される。計測されたバイタルデータを処理する技術としては、これまで、様々なものが提案されている（例えば、特許文献１参照）。
【０００３】
一般に、医療機関、特に医療機関の急性期医療部門では、患者の状態を正確に把握して適切な治療を施すために、バイタルデータのような生体情報が、継続的、定期的または不定期に計測され、管理される。また、近年では、各種機器および医療機関内設備の高度化および情報システム化が進んだことに伴って、それぞれの計測機器で計測されまたは取得された生体情報を一元管理するシステムの利用が増えてきている。
【０００４】
このような管理システムでの生体情報収集方法の一例としては、マウスやキーボードなどの複数の入力機器を併用して、生体情報の計測値を入力する方法が挙げられる。また、他の例としては、計測機器と管理システムとをオンラインで結び計測値をオンラインで伝送することにより、計測値を管理システムに取得させる方法が挙げられる。
【特許文献１】特開２０００−３１２６６５号公報
【発明の開示】
【発明が解決しようとする課題】
【０００５】
しかしながら、前述した生体情報収集方法には、幾つかの問題がある。例えば、複数の入力機器を併用して計測値の手入力を行う手法では、複数の入力機器の使い分けが、操作者（一般には、看護師）にとって、操作上の手間となる。また、計測機器から管理システムにオンライン入力を行う手法では、入力された計測値を画面に表示させ、医師または看護師がそれを確認する必要がある。確認の結果、入力された値の修正が必要になった場合は、何らかの入力機器を用いることにより手入力が行われることとなり、結局、前者の手法と同様に、操作上、煩雑な手間を要する。
【０００６】
本発明は、かかる点に鑑みてなされたもので、生体情報の入力の手間を軽減することができる生体情報処理装置および生体情報処理方法を提供することを目的とする。
【課題を解決するための手段】
【０００７】
本発明の生体情報処理装置は、生体情報の計測時刻および生体情報の計測値をそれぞれＸ軸およびＹ軸としてなるグラフを表示装置の画面に表示する表示部と、表示グラフの座標をポインティングデバイスで指定する指定操作により、指定された座標のＸ成分およびＹ成分にそれぞれ対応する計測時刻および計測値を決定する決定部と、を有する構成を採る。
【０００８】
本発明の生体情報処理装置は、生体情報の計測値のトレンドにおける計測時刻のいずれかを選択する時刻選択部と、選択された計測時刻を含む期間内の複数の計測時刻における複数の計測値を記憶装置から取得する取得部と、取得された複数の計測値を表示装置の画面に表示する表示部と、表示された複数の計測値のいずれかを選択する値選択部と、選択された計測時刻におけるトレンド内の計測値を、選択された計測値に変更する変更部と、を有する構成を採る。
【０００９】
本発明の生体情報処理方法は、生体情報の計測時刻および生体情報の計測値をそれぞれＸ軸およびＹ軸としてなるグラフを表示装置の画面に表示するステップと、表示グラフの座標をポインティングデバイスで指定する指定操作により、指定された座標のＸ成分およびＹ成分にそれぞれ対応する計測時刻および計測値を決定するステップと、を有するようにした。
【００１０】
本発明の生体情報処理方法は、生体情報の計測値のトレンドにおける計測時刻のいずれかを選択するステップと、選択された計測時刻を含む期間内の複数の計測時刻における複数の計測値を記憶装置から取得するステップと、取得された複数の計測値を表示装置の画面に表示するステップと、表示された複数の計測値のいずれかを選択するステップと、選択された計測時刻におけるトレンド内の計測値を、選択された計測値に変更するステップと、を有するようにした。
【発明の効果】
【００１１】
本発明によれば、生体情報の入力の手間を軽減することができる。
【発明を実施するための最良の形態】
【００１２】
以下、本発明の実施の形態について、図面を用いて詳細に説明する。
【００１３】
（実施の形態１）
図１は、本発明の実施の形態１に係る生体情報管理システムの構成を示す図である。生体情報管理システム１は、主に医療機関において、特にＩＣＵ（intensive-care unit）や手術室のような急性期医療部門などにおいて、好適に使用することができる。また、生体情報管理システム１は、本発明の実施の形態１に係る生体情報処理装置としてのワークステーション１０と、ワークステーション１０と通信可能に接続している記憶装置としてのサーバシステム２０とを有する。
【００１４】
また、生体情報管理システム１は、人工呼吸器３０やベッドサイドモニタ４０、呼吸管理モニタ５０、大静脈バルーンポンプ６０、心拍出量計７０などを含む各種の医療機器や計測機器と通信可能に接続されている。なお、生体情報管理システム１は、前述のもの以外の様々な医療機器や計測機器、あるいは医療機関内の様々な設備にも接続することができる。
【００１５】
サーバシステム２０は、ワークステーション１０から入力されたデータを内部に記憶するほか、患者情報などの様々なデータも記憶することができる。
【００１６】
以下、ワークステーション１０の内部構成について、図２を用いて説明する。ワークステーション１０は、表示装置１０２、表示処理部１０４、データ処理部１０６、実測データ通信部１０８、サーバデータ通信部１１０、操作処理部１１２、キーボード１１４、およびマウス１１６を有する。
【００１７】
表示装置１０２は、例えばＣＲＴ（cathode ray tube）ディスプレイや液晶ディスプレイなどのような表示装置であり、表示処理部１０４からの入力信号が表示される画面を有する。
【００１８】
表示部としての表示処理部１０４は、患者の属性情報を表示装置１０２の画面に表示するほか、その患者について計測されたバイタルデータをグラフ形式または表形式で、表示装置１０２の画面に表示する。グラフ形式では、バイタルデータの計測時刻および計測値がそれぞれＸ軸およびＹ軸として表示される。グラフの一例としては、バイタルデータのトレンドを示すトレンドグラフが挙げられる。トレンドは、バイタルデータの計測値の経時変動を意味するものであり、トレンドグラフは、トレンドを例えば折れ線グラフで表現するものである。なお、表形式でもトレンドを示すことができる。
【００１９】
また、表示処理部１０４は、データ処理部１０６から入力されたバイタルデータの計測時刻および計測値を、画面のグラフまたは表において表示する。さらに、表示処理部１０４は、画面上に、様々なオブジェクト、例えば、カーソルやアイコン、マウスポインタ、マークなどを表示する。
【００２０】
また、表示処理部１０４は、操作処理部１１２からの操作信号、またはデータ処理部１０６からの制御信号に応答して、画面の表示内容を制御することができる。
【００２１】
実測データ通信部１０８は、例えばネットワークケーブルを介して各種の計測機器（例えば、図１のベッドサイドモニタ、呼吸管理モニタおよび心拍出量計）と通信可能に接続されており、これらの機器からバイタルデータの実測値を受信し、この実測値をデータ処理部１０６に出力する。ここで、バイタルデータの例としては、心拍数（ＨＲ：heart rate）や、収縮期血圧（ＳｙｓＢＰ：systolic blood pressure）、拡張期血圧（ＤｉａＢＰ：diastolic blood pressure）、収縮期非観血血圧（ＳｙｓＮＩＢＰ：systolic non-invasive blood pressure）、拡張期非観血血圧（ＤｉａＮＩＢＰ：diastolic non-invasive blood pressure）、呼吸数（ＲＲ：respiratory rate）、体温（Ｔ：temperature）、中心静脈圧（ＣＶＰ：central venous pressure）などが挙げられる。
【００２２】
なお、本実施の形態では、「実測値」なる語は、生体情報管理システム１においてバイタルデータの計測値として扱われる値のうち各種計測機器で実際に測定された値として定義される。よって、各種計測機器からオンラインで取り込まれる計測値は実測値である。一方、後述するようにデータ処理部１０６により決定される計測値は、各種計測機器からオンラインで取り込まれるものではない。このため、ごくまれに実測値と異なる可能性があるものの、通常は決定される計測値と実測値とは一致するため、決定される計測値は実測値として扱うことができる。ちなみに、「修正値」なる語は、生体情報管理システム１においてバイタルデータの計測値として扱われる値のうち、すでにサーバシステム２０に保存されている計測値を修正するために操作者によって手入力された値を意味する。
【００２３】
取得部としてのサーバデータ通信部１１０は、例えばネットワークケーブルを介してサーバシステム２０と通信可能に接続されている。サーバデータ通信部１１０は、データ処理部１０６から入力された計測時刻およびそれに関連付けられた実測値または修正値をサーバシステム２０に送信してサーバシステム２０に記憶させる。ここで、実測値および修正値は、サーバシステム２０においてはいずれも計測値として記憶される。また、サーバデータ通信部１１０は、サーバシステム２０に記憶されているサーバデータ、すなわちバイタルデータの計測時刻および計測値を取得してデータ処理部１０６に出力する。
【００２４】
データ処理部１０６は、決定部、制御部、変換部および変更部としての様々な機能を有する。データ処理部１０６は、実測データ通信部１０８から入力された実測値を、その実測値が計測された計測時刻と関連付ける。さらに、互いに関連付けられた計測時刻および実測値を、表示が必要な場合は表示処理部１０４に、保存が必要な場合はサーバデータ通信部１１０に、それぞれ出力する。
【００２５】
また、データ処理部１０６は、サーバデータ通信部１１０から入力された計測時刻およびこれに関連付けられた計測値を、表示処理部１０４に出力する。なお、データ処理部１０６は、サーバデータ通信部１１０からの計測時刻およびそれに関連付けられた計測値を表示処理部１０４に出力する前に、必要に応じて変換したり編集したりすることができる。
【００２６】
また、データ処理部１０６は、後述する指定操作の発生を示す操作信号が入力された場合に、その操作信号により指定された画面上の座標のＸ成分およびＹ成分を表示処理部１０４から取得し、取得したＸ成分およびＹ成分に対応するバイタルデータの計測時刻および計測値を決定する。ここで、決定した計測値は、実測値として扱うことができる。データ処理部１０６は、決定した計測時刻および実測値を、表示が必要な場合は表示処理部１０４に、保存が必要な場合はサーバデータ通信部１１０に、それぞれ出力する。なお、指定操作とは、操作者がバイタルデータを入力するためにマウス１１６のみで行う操作である。マウス１１６のみの操作によってバイタルデータを入力することを実現するバイタルデータ処理については、後で詳細に説明する。
【００２７】
また、データ処理部１０６は、画面に表示されている計測値またはサーバシステム２０に記憶されている計測値の修正を要求する操作に応じて、この計測値を修正値に修正することができる。
【００２８】
また、データ処理部１０６は、制御信号を表示処理部１０４に出力して、画面上のグラフや表の表示形態の制御を行うことができる。
【００２９】
操作処理部１１２は、時刻選択部および値選択部としての様々な機能を有する。操作処理部１１２は、例えばＵＳＢ（universal serial bus）ケーブルを介してキーボード１１４やマウス１１６などのような入力機器と通信可能に接続されている。操作処理部１１２は、操作者がキーボード１１４またはマウス１１６を操作したときに、その操作の内容を示す操作信号を生成して、生成した操作信号を表示処理部１０４およびデータ処理部１０６に出力する。
【００３０】
例えば、操作内容が画面上のマークのドラッグアンドドロップである場合は、これを示す操作信号が、操作処理部１１２から表示処理部１０４およびデータ処理部１０６に入力されて、表示処理部１０４には、画面上のマークが移動して停止するように画面の表示を制御させ、データ処理部１０６には、マークの停止位置の座標を表示処理部１０４から取得させる。
【００３１】
さらに、例えば、操作内容がキーボード１１４のテンキーを用いた修正値の入力である場合は、これを示す操作信号が、操作処理部１１２から表示処理部１０４およびデータ処理部１０６に入力されて、表示処理部１０４には、画面上の所定の入力欄に修正値が数字で表示されるように画面の表示を制御させ、データ処理部１０６には、修正対象の計測値を修正値に修正させる。
【００３２】
以上、ワークステーション１０の内部構成について説明した。なお、このワークステーション１０は、内部で実行されるあらゆる処理を、機能的観点から、３種類の処理（すなわち、表示装置１０２の画面表示についての処理、バイタルデータの転送や変換、修正などについての処理、および入力機器操作についての処理）に大別し、それぞれの機能を実行するハードウェアを表示処理部１０４、データ処理部１０６および操作処理部１１２として別々に実装することにより形成されたものである。ただし、これらの機能は、ソフトウェアで実現することも可能である。例えば、それぞれの機能を実現するプログラムを予め例えばＲＯＭ（read only memory）などの記録媒体に記録しておき、そのプログラムをＣＰＵ（central processing unit）によって動作させることでも、実現することができる。
【００３３】
次いで、上記構成を有するワークステーション１０におけるバイタルデータ処理について説明する。ここでは、操作者がマウス１１６のみを操作することによってバイタルデータの入力を行うことを実現するための処理について、図３、図４および図５を用いて説明する。図３は、バイタルデータ処理全体を示し、図４は、バイタルデータ処理内の計測値入力処理を示し、図５は、バイタルデータ処理の際の表示画面の要部を例示している。なお、図３および図４に示した手順は一例であり、手順に含まれる工程およびその順番などは種々変更可能である。
【００３４】
まず、図３を参照する。ステップＳ１１００では、表示処理部１０４が、バイタルデータの計測時刻および計測値をそれぞれＸ軸およびＹ軸として表示可能なバイタルデータ入力用グラフを生成し、ステップＳ１２００では、生成したグラフ（図５の参照番号１２０）を表示装置１０２の画面に表示する。そして、ステップＳ１３００では、計測値入力処理が行われる。この計測値入力処理は、図４に示されたステップＳ１３１０〜Ｓ１３４０からなる。
【００３５】
ステップＳ１３１０では、入力対象項目（指定操作の対象生体情報）の選択が行われる。具体的には、表示処理部１０４が、入力対象項目の複数の候補を含む項目選択メニュー（図５の参照番号１２２）を、画面に表示する。なお、項目選択メニュー１２２は、バイタルデータ入力用グラフ１２０と同時に表示されてもよいし、操作者による何らかの計測値入力要求操作がバイタルデータ入力用グラフ１２０の表示中に検出されたときに表示されてもよい。
【００３６】
ここで、項目選択メニュー１２２には、入力対象項目の候補としてのバイタルデータの名称（例えば「体温」）または略称（例えば「Ｔ」）と、各バイタルデータの計測値の入力可能範囲（例えば「３２〜４４」）とが示されている。これにより、計測値の誤入力の可能性を低減させることができる。なお、計測値の誤入力を一層軽減させるために、計測値の入力可能範囲に該当するグラフ領域の背景色を変色させてもよい。
【００３７】
項目選択メニュー１２２が画面に表示された後、操作者が項目選択メニュー１２２中の例えば「Ｔ」のセルをマウス１１６のクリックにより選択する選択操作が行われると、操作処理部１１２は、そのような選択操作の発生を示す操作信号を表示処理部１０４およびデータ処理部１０６に出力する。選択操作の発生を示す操作信号が操作処理部１１２からデータ処理部１０６に入力されると、データ処理部１０６は、指定操作を待機する状態に移行する。
【００３８】
ステップＳ１３２０では、表示処理部１０４が、表示グラフ１２０の座標を視覚化するマーク（図５の参照番号１２４）を表示グラフ１２０上に表示する。このように、選択操作が完了したときにマーク１２６が表示されるため、指定操作を待機する状態、言い換えれば、計測値の入力を待機する状態に移行したことを操作者に対して明確に通知することができる。本実施の形態では、マーク１２４として、Ｘ軸およびＹ軸にそれぞれ沿った双方向矢印を交差させてなる十字型矢印が用いられている。表示処理部１０４は、表示されたマーク１２４の座標（例えば、２つの双方向矢印が交差する座標）のＸ成分およびＹ成分をそれぞれ認識している。なお、使用可能なマーク１２４の形状は図示されたものだけに限定されない。
【００３９】
ステップＳ１３３０では、表示処理部１０４は、入力対象項目となったバイタルデータの名称を表す情報（図５の参照番号１２６）を表示グラフ１２０上に表示する。本実施の形態では、情報１２６として、入力対象項目となったバイタルデータの略称を示すアイコンが用いられている。このように、項目の名称を表す情報１２６を画面に表示させることにより、計測値の誤入力の可能性を低減させることができる。なお、使用可能な情報１２６の種類は図示されたものだけに限定されない。
【００４０】
ステップＳ１３４０では、計測値の対応座標の指定が行われる。指定操作は、操作者が表示グラフ１２０の座標をマウス１１６で指定する操作を意味する。指定操作は、例えば、マウス１１６でマーク１２４を所望の座標にドラッグアンドドロップした後、所定位置でワンクリックまたはダブルクリックすることにより実現される。あるいは、マウス１１６でマーク１２４を所望の座標にドラッグアンドドロップした後、所定時間放置することにより実現される。なお、指定操作の具体的手順は、前述のものだけに限定されるべきではなく、他の様々な手順もあり得る。
【００４１】
操作処理部１１２は、指定操作が行われると、指定操作の内容を示す操作信号を生成して、表示処理部１０４およびデータ処理部１０６に出力する。表示処理部１０４は、この操作信号に従って、画面上のマーク１２４を移動させる。データ処理部１０６は、この操作信号が入力されると、指定操作によって指定された座標のＸ成分およびＹ成分を表示処理部１０４から取得し、取得したＸ成分およびＹ成分にそれぞれ対応するバイタルデータの計測時刻および計測値を決定する。図５に示した例では、マーク１２４の座標のＸ成分に対応する計測時刻および計測値はそれぞれ「１０：０５」、「３９．０℃」に決定される。決定された計測時刻および計測値は、データ処理部１０６からサーバデータ通信部１１０を介してサーバシステム２０に保存される。
【００４２】
以上のようなバイタルデータ処理により、マウス１１６のみを利用してバイタルデータの入力を行うことができる。
【００４３】
ところで、図５の表示グラフ１２０において、指定操作により決定可能な計測時刻の時間間隔は、例えば１分に予め設定されている。この時間間隔は、複数の入力対象項目に対して個別に設定可能である。例えば、体温については１分に、呼吸数については２分に、それぞれ予め設定することができる。したがって、データ処理部１０６は、入力対象項目の切り替えにより、指定操作により決定可能な計測時刻の時間間隔を切り替える制御を行うことができる。こうすることで、多数の入力対象項目について、ある計測時刻における計測値を立て続けに入力する場合に、この時間間隔を、入力対象項目の切り替えに伴っていちいち変更する手間を省くことができ、バイタルデータの入力操作を一層簡略化することができる。なお、この時間間隔は、操作者の操作によって適宜変更可能である。
【００４４】
また、画面に表示可能な表示グラフには、前述したようなバイタルデータ入力用グラフだけでなく、トレンドグラフもある。トレンドグラフでは、操作者によって選択可能な多様な期間における計測値のトレンドつまり経時変動を示すことができる。そこで、データ処理部１０６は、サーバデータ通信部１１０から計測時刻およびこれに関連付けられた計測値を取得した後、取得した計測時刻を、トレンドグラフにおいて表示可能な計測時刻の時間間隔に適合した値に変換して、そして、変換された計測時刻と取得された計測値とを表示処理部１０４に出力する。そして、表示処理部１０４は、入力された計測値を、変換後の計測時刻における計測値として画面に表示する。
【００４５】
このような構成によって得られる利点について、図５のように入力された体温を例に挙げて説明する。図５では、１０：０５に計測された体温が３９．０℃である旨の入力がなされる。このデータは、サーバシステム２０に保存される。このデータを、体温のトレンドを毎時０分、１５分、３０分および４５分の１５分刻みで示すトレンドグラフに表示する場合、１０：０５は表示不可能である。そこで、データ処理部１０６は、１０：０５を、１０：００に変換する。その結果、トレンドグラフでは、１０：００での体温が３９．０℃であったものとして表示される。これにより、トレンドグラフの外観を良好に保つことができると同時に、正確な計測時刻を保存しておくこともできる。
【００４６】
以上のように、本実施の形態によれば、表示グラフの座標をマウスで指定する指定操作により、指定された座標のＸ成分およびＹ成分に対応するバイタルデータの計測時刻および計測値を決定するため、マウスとキーボードとを使い分けることなくマウスだけでバイタルデータの計測値の入力を行うことができ、入力の手間を軽減させることができる。さらに、キーボードの利用頻度を低減させることができる。特に、例えば急性期医療部門のような環境では、ワークステーションの省スペース化などの目的で、通常時はキーボードが引き出しに格納されていることがあるため、計測値入力の度にキーボードを取り出すのは面倒である。これに対し、本実施の形態の上記構成によりキーボードの利用頻度を低減させることで、このような面倒な作業を省くことができる。
【００４７】
なお、本実施の形態では、ポインティングデバイスとしてマウスを用いる例を説明した。ただし、マウスの代わりに様々なポインティングデバイスを使用することが可能である。例えば、表示装置としてタッチパネルが用いられる場合は、スタイラスペンをポインティングデバイスとして用いることができる。あるいは、ＣＲＴ装置のような走査線方式の表示装置が用いられる場合は、ライトペンをポインティングデバイスとして用いることができる。あるいは、本実施の形態の生体情報処理装置がノート型ＰＣ（personal computer）に設けられている場合は、ノート型ＰＣに装備されているポインティングスティック、トラックボールまたはタッチパッドをポインティングデバイスとして用いることができる。あるいは、ペンタブレットが前述のキーボード１１４およびマウス１１６と同様に例えばＵＳＢケーブルを介して通信可能に接続されている場合は、ペンタブレットをポインティングデバイスとして用いることができる。
【００４８】
（実施の形態２）
以下、本発明の実施の形態２に係る生体情報処理装置について説明する。本実施の形態の生体情報処理装置の基本構成は、実施の形態１において説明した生体情報処理装置と同一である。よって、本実施の形態の生体情報処理装置の各構成要素についての詳細な説明は省略し、特定の構成要素に言及するときは、図２において同様のまたは対応する構成要素と同一の参照番号を付記する。
【００４９】
図６は、本発明の実施の形態２に係るバイタルデータ処理を示すフロー図である。なお、このバイタルデータ処理手順は一例であり、この手順に含まれる工程およびその順番などは種々変更可能である。
【００５０】
まず、ステップＳ２１００では、トレンドの生成が行われる。具体的には、サーバデータ通信部１１０が、サーバシステム２０から、ある患者についてのバイタルデータの過去の一定期間内の計測時刻およびそれに対応する計測値を受信してこれらをデータ処理部１０６に入力する。そして、データ処理部１０６が、サーバデータ通信部１１０から入力された計測時刻およびそれに関連付けられた計測値を用いて、トレンドを生成する。そして、表示処理部１０４が、生成されたトレンドを表示装置１０２の画面上に表示する。ここで、トレンドに含まれる確認対象項目としてのバイタルデータ（言い換えれば、修正可能なバイタルデータ）は、対象患者に対して予めサーバシステム２０に登録されたものを含む。例えば、確認対象項目は、心拍数（ＨＲ）、収縮期血圧（ＳｙｓＢＰ）、拡張期血圧（ＤｉａＢＰ）、収縮期非観血血圧（ＳｙｓＮＩＢＰ）、拡張期非観血血圧（ＤｉａＮＩＢＰ）、呼吸数（ＲＲ）、体温（Ｔ）および中心静脈圧（ＣＶＰ）を含む。また、トレンド作成の対象期間は任意に設定可能である。
【００５１】
ステップＳ２２００では、日時の指定、つまりバイタルデータを計測した日付および時刻の指定が行われる。具体的には、操作者がキーボード１１４またはマウス１１６を用いて日時（例えば、２００６年１月２３日の１２：００）を指定する操作を行う。指定される日時は、生成されたトレンドに含まれる計測値に対応する操作処理部１１２は、この操作の内容に基づいて操作信号を生成し、生成した操作信号を表示処理部１０４およびデータ処理部１０６に出力する。
【００５２】
ステップＳ２３００では、サーバデータの取得が行われる。具体的には、データ処理部１０６が、指定された日時を中心時刻としてその前後の２分間を含む期間（つまりこの期間の長さは５分）内のすべての計測時刻における計測値を、サーバデータ通信部１１０を介してサーバシステム２０から取得する。また、このときに取得される計測値は、予め確認対象項目として登録されたバイタルデータの計測値である。取得された計測時刻および対応する計測値は、表示処理部１０４に出力される。
【００５３】
ステップＳ２４００では、表示処理部１０４が、データ処理部１０６から入力された計測時刻および計測値を、確認対象項目の一覧として表示装置１０２の画面に表示する。このとき、入力された計測時刻および計測値は、上記の５分間の期間よりも前の計測時刻における前回値としての計測値とともに、表形式で画面に表示される。図７は、表示画面の一例を示す。この表は、独立したウインドウにおいて表示されても、トレンドグラフと同じウインドウ内で表示されてもよい。なお、図７に示した表のように、表示処理部１０４は、計測機器からオンラインで取り込まれたもの以外の計測値、つまり、操作者により手入力された修正値や、実施の形態１で説明した指定操作により決定された測定値を、太字で表示することができる。
【００５４】
ステップＳ２５００では、表示された一覧から計測値の選択が行われる。具体的には、操作者がマウス１１６を用いて画面上のマウスポインタを移動させ、選択したい計測値が記入されたセルにてクリックする操作を行う。項目毎に選択される計測値の個数は、１個でも複数個でも０個でもよい。操作処理部１１２は、この操作を認識することにより、計測値の選択を行う。そして、この操作を示す操作信号を表示処理部１０４およびデータ処理部１０６に出力する。図７に示す例では、操作者は、マウス１１６の操作により、「１１：５９」の心拍数「８５」、「１２：００」の収縮期血圧「１２０」、拡張期血圧「８２」および呼吸数「１４」、ならびに「１２：０２」の中心静脈圧「８」を選択する。表示処理部１０４は、表内の該当するセルの背景色を変色させてこれらのセルを目立たせる。データ処理部１０６は、この選択操作によって選択された計測時刻および計測値を、操作信号から取得する。
【００５５】
ステップＳ２６００では、計測値選択が確定されたか否かが判定される。具体的には、操作者がマウス１１６を用いて画面上のマウスポインタを移動させ、「閉じる」または「保存」のボックスにてクリックする操作を行う。操作処理部１１２は、この操作を認識することにより、「閉じる」または「保存」のいずれかを選択する。そして、この操作を示す操作信号を表示処理部１０４およびデータ処理部１０６に出力する。
【００５６】
「保存」がクリックされた場合（Ｓ２６００：ＹＥＳ）、データ処理部１０６が、ステップＳ２１００にて生成されたトレンド」内の、指定された日時の計測値を、ステップＳ２６００にて選択された計測値に変更する（ステップＳ２７００）。また、表示処理部１０４は、ステップＳ２４００にて表示された表を画面から消すとともに、変更されたトレンドに基づいてトレンドグラフを画面に表示する。一方、「閉じる」がクリックされた場合（Ｓ２６００：ＮＯ）、データ処理部１０６は、計測値の変更を行わない。また、表示処理部１０４は、ステップＳ２４００にて表示された表を画面から消す。
【００５７】
以上のようなバイタルデータ処理により、様々な種類のバイタルデータの計測値の確認作業を簡易化することができる。
【００５８】
なお、上記のステップＳ２４００において、一覧を表示する際に、データ処理部１０６が、各確認対象項目について、今回値の候補となっている５分間内の計測値のうち再頻値または平均値に最も近い値を有するものを特定し、表示処理部１０４が、特定された計測値の記入されたセルの背景色を変色させることによって、操作者の確認および変更を簡単化するようにしてもよい。
【００５９】
以上、本発明の各実施の形態について説明した。なお、以上の説明は本発明の好適な実施の形態の例証であり、本発明の範囲はこれに限定されない。つまり、各実施の形態において説明した構成や構造、数値、用途などは一例であり、本発明の範囲においてこれらの例に対する様々な変更および修正が可能であることは明らかである。例えば、実施の形態１、２のそれぞれにおける特有の特徴を適宜組み合わせて実施することが可能である。
【図面の簡単な説明】
【００６０】
【図１】本発明の実施の形態１に係る生体情報管理システムの構成を示す図
【図２】本発明の実施の形態１に係るワークステーションの構成を示すブロック図
【図３】本発明の実施の形態１に係るバイタルデータ処理の一例を示すフロー図
【図４】図３のバイタルデータ処理における計測値入力処理の一例を示すフロー図
【図５】図３のバイタルデータ処理の際の表示画面の要部を例示する図
【図６】本発明の実施の形態２に係るバイタルデータ処理の一例を示すフロー図
【図７】図６のバイタルデータ処理の際の表示画面の一例を示す図
【符号の説明】
【００６１】
１  生体情報管理システム
１０  ワークステーション
２０  サーバシステム
１０２  表示装置
１０４  表示処理部
１０６  データ処理部
１０８  実測データ通信部
１１０  サーバデータ通信部
１１２  操作処理部
１１４  キーボード
１１６  マウス
【図１】
2008099978.tif 000003
【図２】
2008099978.tif 000004
【図３】
2008099978.tif 000005
【図４】
2008099978.tif 000006
【図５】
2008099978.tif 000007
【図６】
2008099978.tif 000008
【図７】
2008099978.tif 000009